(57)【特許請求の範囲】
【請求項１】
第１のロール紙（１）を装着するための第１ロール紙装着部（７１）と、
第２のロール紙（２）を装着するための第２ロール紙装着部（７２）と、
第１、第２のロール紙（１）（２）を搬送するための第１から第３の搬送ローラ（５）（６）（７）を駆動する１台の搬送モータ（２３）と、
第１のロール紙（１）を誘導するための第１搬送路（５４）と、
第２のロール紙（２）を誘導するための第２搬送路（５５）と、
第１搬送路（５４）及び第２搬送路（５５）より上方に設けられて両搬送路（５４）（５５）の合流部に形成された第３搬送路（５６）と、
第１搬送路（５４）に設けた券検出センサ（３０）と、
第１搬送路（５４）に設けられ、通電されると、第１ロール紙（１）を第１搬送ローラ（５）との間に挟み込む押えローラ（１２）を第１搬送ローラ（５）に圧接させる第１切換ソレノイド（２０）と、
第２搬送路（５５）に設けた券検出センサ（３１）と、
第２搬送路（５５）に設けられ、通電されると、第２ロール紙（２）を第２搬送ローラ（６）との間に挟み込む押えローラ（１３）を第２搬送ローラ（６）に圧接させる第２切換ソレノイド（２１）と、
第３搬送路（５６）上に設けた券検出センサ（３２）と、
前記第３搬送ローラ（７）に常に圧接して設けられた押えローラ（１４）とを具備し、
各センサ（３０）（３１）（３２）の検出状態により第１、第２の切換ソレノイド（２０）（２１）をＯＮ−ＯＦＦして２巻のロール紙（１）（２）の搬送を自動的に切換えられるようにしたことを特徴とする券用ロール紙自動切換装置。
【発明の詳細な説明】
【０００１】
【発明の属する技術分野】
本発明は、駐車用磁気駐車券発行機のロール紙切換装置に関する。本発明は、駅の乗車券発行機、バス整理券発行機、ファクシミリ等にも利用することができる。
【０００２】
【従来の技術】
従来の技術を図４（特開平７−１２９７９９号公報）に示す。
従来の券発行機は、ロール紙が１巻装着されたものが主流であった。
また、図４（特開平７−１２９７９９号公報）に示す装置では、２巻のロール紙を切換える機構に２個の搬送用モータを使用して、各ロール紙の送りローラを駆動しており、かつ共通搬送路では、２巻のロール紙の表裏が逆となる為、２組のプリンタ機構を設置している。
【０００３】
【発明が解決しようとする課題】
しかし、従来の技術には、次のような問題がある。
（１）駐車場の券発行機の場合、ロール紙が１巻しか装着されていない機器では、営業中にロール紙が終わってしまい、営業を一時中止して、再装着したり、あるいは営業中に交換の必要が生じることを防止するため、まだ充分にロール紙が残っているにもかかわらず、ロール紙を交換し、廃棄処分してしまうことがあり、極めて不経済であった。
（２）特開平７−１２９７９９の装置においては、搬送用モータを２個使用しており、切換ソレノイドとモータの制御が必要となり、搬送系が複雑になる。
（３）また、２巻のロール紙が切換られたとき、ロール紙の印字面の表裏が逆になって搬送される為、表面用と裏面用の２組のプリンタ機構が必要であり、コストが高くなるとともに、複雑な構造になっている。
本発明は、これらの問題を解決することができる装置を提供することを目的とする。
【０００４】
【課題を解決するための手段】
本発明に係る券用ロール紙自動切換装置は、
第１のロール紙（１）を装着するための第１ロール紙装着部（７１）と、
第２のロール紙（２）を装着するための第２ロール紙装着部（７２）と、
第１、第２のロール紙（１）（２）を搬送するための第１から第３の搬送ローラ（５）（６）（７）を駆動する１台のモータ（２３）と、
第１のロール紙（１）を誘導するための第１搬送路（５４）と、
第２のロール紙（２）を誘導するための第２搬送路（５５）と、
第１搬送路（５４）及び第２搬送路（５５）より上方に設けられて両搬送路（５４）（５５）の合流部に形成された第３搬送路（５６）と、
第１搬送路（５４）に設けた券検出センサ（３０）と、
第１搬送路（５４）に設けられ、通電されると、第１ロール紙（１）を第１搬送ローラ（５）との間に挟み込む押えローラ（１２）を第１搬送ローラ（５）に圧接させる第１切換ソレノイド（２０）と、
第２搬送路（５５）に設けた券検出センサ（３１）と、
第２搬送路（５５）に設けられ、通電されると、第２ロール紙（２）を第２搬送ローラ（６）との間に挟み込む押えローラ（１３）を第２搬送ローラ（６）に圧接させる第２切換ソレノイド（２１）と、
第３搬送路（５６）上に設けた券検出センサ（３２）と、
前記第３搬送ローラ（７）に常に圧接して設けられた押えローラ（１４）とを具備し、
各センサ（３０）（３１）（３２）の検出状態により第１、第２の切換ソレノイド（２０）（２１）をＯＮ−ＯＦＦして２巻のロール紙（１）（２）の搬送を自動的に切換えられるようにしたことを特徴とする。
【０００５】
すなわち、本発明装置では、第１、第２のロール紙装着部に、それぞれロール紙が装着され、ロール紙から引出された先端は、第１搬送路上で券検出センサが遮光状態となる位置、および第２搬送路上で券検出センサが遮光状態となる位置にセットされる。
【０００６】
ロール紙１、２の搬送は、第１搬送路５４、第２搬送路５５、第３搬送路５６の搬送ローラ５、６、７をギヤ及びベルトを介して１個のモータ２３により行こなわれる。
第１搬送ローラ５と、第２搬送ローラ６に対向する押えローラ１２、１３には、切換ソレノイド２０、２１が連結されており、切換ソレノイド２０、２１が無通電（ＯＦＦ）の場合、押えローラ１２、１３は搬送ローラ５、６から離れており、搬送ローラ５、６が回転してもロール紙１、２には搬送力が伝達されず、切換ソレノイド２０、２１に通電（ＯＮ）した時、押えローラ１２、１３が搬送ローラ５、６に圧接され、ロール紙１、２に搬送力が伝達される。
【０００７】
従って、これらセンサ３０〜３１の状態を検知し、切換ソレノイド２０、２１に通電するだけで、ロール紙１、２を自動的に切換えることを特徴とする。
したがって、次のように作用する。
【０００８】
第１および第２のロール紙をセットした状態から搬送モータ２３が回転し、第１ソレノイド２０をＯＮにすると、第１搬送ローラ５により第１のロール紙１は第３搬送ローラ７へ誘導される。
【０００９】
第３搬送ローラ７の券検出センサが遮光状態となった時点では、第３搬送ローラ７によりロール紙を搬送しているため、第１ソレノイド２０をＯＦＦにしても、搬送を続けることができる。
【００１０】
第１のロール紙１を使い終わり、ロール紙の終端が第３搬送路５６を通過して第３の券検出光センサが投光状態となった時、第２ソレノイド２１をＯＮにすることで、自動的に第２のロール紙２へ切換ることができる。
【００１１】
そして、第２のロール紙２の稼働中に、第１のロール紙１を補充することにより、第２のロール紙２が終わった時に、自動的に第１のロール紙１へ切換ることができる。
【００１２】
【発明の実施の形態】
本発明の第１の実施の形態を図１〜図３に示す。
図１は、第１の実施の形態に係る装置の全体の構成図。
【００１３】
図２は、第１の実施の形態に係る装置のロール紙切換部の部分拡大図。
図３は、第１の実施の形態に係る装置の動作タイムチャートである。
図１に示すように、第１のロール紙１および第２のロール紙２は、それぞれロール紙装着部７１、ロール紙装着部７２に装着されており、後述する切換手段で第１のロール紙１が搬送される場合、第１搬送路５４から第３搬送路５６を通ってロール紙カッタ２２へ誘導され、第２のロール紙２が搬送される場合、第２搬送路５５から第３搬送路５６を通ってロール紙カッタ２２へ誘導される。
【００１４】
ローラ１７、１８、１９はロール紙を案内する為のフリーローラである。搬送モータ２３の回転は、ベルト２４によりカッタ部ローラ８、９に伝達され、さらに、カッタ部ローラ８からベルト２５を介して、第２搬送ローラ６および第３搬送ローラ７に伝達される。
【００１５】
第２搬送ローラ６には、ギヤ２７が固定され、第１搬送ローラ５に固定したギヤ２６と噛み合せることにより、回転を第１搬送ローラ５に伝達している。
フリーローラ１７、１８、１９はロール紙を案内するためのローラであり、フリーローラ１８には、ローラ外周と一定の隙間をもったガイド５３が搬送路５７を形成している。
【００１６】
図２は、図１のロール紙切換部の部分拡大図である。図２において、左ガイド５０と中央ガイド５１の間には、一定の隙間をもつ第１搬送路５４が形成されている。
【００１７】
また、中央ガイド５１と右ガイド５２の間には、一定の隙間をもつ第２搬送路５５が形成されている。
さらに、第１搬送路５４と第２搬送路５５の合流部には、左ガイド５０と右ガイド５２の間に、第３搬送路５６が形成されており、それぞれの搬送路にはロール紙の有無を検出するための第１センサ３０、第２センサ３１、第３センサ３２が設置されている。
【００１８】
これらのセンサは、例えば透過式センサであり、ロール紙の有無で遮光、または投光状態となり、その状態を外部へ出力することもできる。
第１搬送ローラ５、第２搬送ローラ６、第３搬送ローラ７には、前記の搬送モータ２３の回転力が伝達され、搬送ローラ５、６、７と対応する押えローラ１２、１３、１４との間にロール紙を挟み込むことにより、ロール紙は搬送される。
【００１９】
ここで、第３搬送ローラ７に対向する押えローラ１４は、引張バネ４８により常に第３搬送ローラ７に圧接されているが、第１搬送ローラ５に対向する押えローラ１２は、引張バネ４２により、第１搬送ローラ５とは離れた位置に保持されている。
【００２０】
この押えローラ１２は、アーム４０により回転可能に支持され、アーム４０は支点４３に対し回動可能である。
アーム４０の一端には、引張バネ４２が取付けられ、アーム４０がストッパ４１に当たる位置で保持されている。
【００２１】
また、アーム４０には、第１ソレノイド２０のシャフト２０ａが取付けられており、第１ソレノイド２０が通電されると、シャフト２０ａが吸引され、アーム４０は、支点４３を中心にして、時計回りに回動し、押えローラ１２が第１搬送ローラ５に圧接して、第１のロール紙１を搬送する。
【００２２】
第１ソレノイド２０が無通電となると、アーム４０は引張バネ４２の力で、反時計回りにストッパ４１に当たるまで回動し、押えローラ１２は第１搬送ローラ５が離される為、第１搬送ローラ５が回転していても、第１のロール紙１は搬送されない。
【００２３】
第２搬送ローラ６に対向する押えローラ１３も同様の構成であり、第２ソレノイド２１が通電されると、シャフト２１ａが吸引され、アーム４４は支点４７を中心にして、反時計回りに回動し、押えローラ１３が第２搬送ローラ６に圧接して第２のロール紙２を搬送する。
【００２４】
第２ソレノイド２１が無通電になると、アーム４４は引張バネ４６の力で時計回りにストッパ４５に当たるまで回動し、押えローラ１３は第２搬送ローラ６から離されるため、第２搬送ローラ６が回転していても、第２のロール紙２は搬送されない。
【００２５】
前記の構成に於いて、初期のロール紙セットでは、第１のロール紙１はその券端を第１搬送路５４の矢印Ａの位置まで引出しておき、第２のロール紙２はその券端を第２搬送路５５の矢印Ｂの位置まで引出しておく。
【００２６】
ローラ３、ローラ４には搬送モータ２３の回転力は伝達されておらず、さらに内部にロール紙の搬送方向にのみ回転可能なワンウエイラッチが組込まれているため、それぞれ押えローラ１０、押えローラ１１でロール紙を挟み込むと、他のローラで挟み込まなくても、ロール紙は下方へ滑り落ちることはない。
【００２７】
この初期セットの状態では、第１のロール紙１は第１センサ３０を遮光し、第２のロール紙２は第２センサ３１を遮光し、第３センサ３２は投光状態となっている。
【００２８】
これら３つのセンサは、その状態を外部へ出力することにより、ロール紙の補充（どちらか１巻のロール紙なし）や、ロール紙不足（両方のロール紙なし）信号として利用することができる。
【００２９】
次に、図３のタイムチャートに基づき、ロール紙切換動作の１例を説明する。
第１のロール紙１および第２のロール紙２を初期セットした状態では、第１センサ３０および第２センサ３１が遮光、第３センサ３２が投光状態にあるため、搬送モータ２３が回転すると同時に、第１ソレノイド２０が通電（ＯＮ）し、第１のロール紙１が選択され、第１搬送ローラ５により搬送される。
【００３０】
券端が第１搬送路５４から第３搬送路５６へ誘導され、第３センサ３２が遮光されると、第１ソレノイド２０は無通電（ＯＦＦ）となり、第１搬送ローラ５の搬送力はなくなるが、その後は第３搬送ローラ７により、搬送は継続される。
【００３１】
第１のロール紙１の終端が第１センサ３０を通過すると、第１センサ３０は投光状態となり、さらに第３センサ３２を通過すると、第３センサ３２も投光状態となり、これら２つのセンサ３０、３２から第１のロール紙１が使い終わったことが検知される。
【００３２】
また、第２センサ３１が遮光状態であるため、第２のロール紙２がセットされていることが検知でき、外部へ一方のロール紙がなくなったことを警告するロール紙補充信号を出力すると共に、第２ソレノイド２１をＯＮにし、第２のロール紙２の搬送を開始し、ロール紙は自動的に切換えられる。
【００３３】
第２のロール紙２の券端が第３センサ３２を遮光すると、第２ソレノイド２１はＯＦＦとなる。
ロール紙補充信号を基に、保守員等が第１のロール紙１を補充し、券端を初期セット位置まで引出すことにより、第１センサ３０は遮光状態となって、ロール紙補充信号はＯＦＦにされる。
【００３４】
第２のロール紙２の終端が第２センサ３１を通過すると、第２センサ３１は投光状態となり、さらに第３センサ３２を通過すると、第３センサ３２も投光状態となる。
【００３５】
この時、第１センサ３０が遮光状態にあることから、第１のロール紙１はセットされていることが検知でき、外部へ一方のロール紙がなくなったことを警告するロール紙補充信号を出力すると共に、第１ソレノイド２０をＯＮにし、第１のロール紙１へ自動的に切換られる。
【００３６】
第１のロール紙１の券端が第３センサ３２を遮光すると、第１ソレノイド２０はＯＦＦとなる。
第２のロール紙２が補充されずに第１のロール紙１が搬送され続け、終端が第１センサ３０および第３センサ３２を通過した場合、第１センサ３０、第２センサ３１、第３センサ３２の全てが投光状態となり、もはや切換るべきロール紙がセットされていない為、外部に対し、ロール紙不足信号を出力する。
又、２個のソレノイドへの通電は、切換時のみの短時間だけでよい為、省エネルギー化を図ることができる。
【００３７】
【発明の効果】
本発明は前述のように構成されているので、以下に記載するような効果を奏する。
（１）本発明装置によれば、２巻のロール紙を自動的に切換ることにより、各ロール紙を途中で廃棄処分することなく、最後まで使いきることができる。そのため経済的である。
（２）機器が動作中であっても、機器を停止することなく、片方のロール紙を補充、交換できるため、運用上も非常に便利である。
（３）１台の搬送モータと２個のソレノイドで切換機構を構成することにより、構造が簡単になると共に、装置の小形化、低価格化、信頼性の向上を図ることができる。
【図面の簡単な説明】
【図１】本発明の第１の実施の形態に係る装置の全体の構成図。
【図２】本発明の第１の実施の形態に係る装置のロール紙切換部の部分拡大図。
【図３】本発明の第１の実施の形態に係る装置の動作タイムチャート。
【図４】従来の装置の全体の構成図。
【符号の説明】
１…第１のロール紙
２…第２のロール紙
３…ローラ
４…ローラ
５…第１搬送ローラ
６…第２搬送ローラ
７…第３搬送ローラ
８…カッタ部ローラ
９…カッタ部ローラ
１０…押えローラ
１１…押えローラ
１２…押えローラ
１３…押えローラ
１４…押えローラ
１７…フリーローラ
１８…フリーローラ
１９…フリーローラ
２０…第１ソレノイド（第１切換ソレノイド）
２０ａ…シャフト
２１…第２ソレノイド（第２切換ソレノイド）
２１ａ…シャフト
２２…ロール紙カッタ
２３…搬送モータ
２４…ベルト
２５…ベルト
２６…ギヤ
２７…ギヤ
３０…第１センサ（第１券検出センサ）
３１…第２センサ（第２券検出センサ）
３２…第３センサ（第３券検出センサ）
４０…アーム
４１…ストッパ
４２…引張バネ
４３…支点
４４…アーム
４５…ストッパ
４６…引張バネ
４７…支点
４８…引張バネ
５０…左ガイド
５１…中央ガイド
５２…右ガイド
５３…ガイド
５４…第１搬送路
５５…第２搬送路
５６…第３搬送路
５７…搬送路
７１…第１ロール紙装着部
７２…第２ロール紙装着部
【図１】
0003723190.tif 000002
【図２】
0003723190.tif 000003
【図３】
0003723190.tif 000004
【図４】
0003723190.tif 000005